(57)【要約】本発明は、携帯端末機器と携帯端末機器に挿入可能なモジュールとを備え、通信システムが対象とする全体領域内に少なくとも１つの加入者領域が設定されており、少なくとも１つの加入者領域内では特定の条件下で携帯端末機器に対して及び携帯端末機器間で加入者領域通信が行われ、携帯端末機器が加入者領域内に位置するかどうかを判定することが可能な手段を備えた移動電話サービス用通信システムに関する。本発明によると、前記の手段がモジュール内又は遠隔問い合わせによってアクセス可能な判定ユニット内に配置されている。  本発明はさらに、移動電話サービス用の通信システムを操作する方法に関する。
2006524448.tif 000002
【特許請求の範囲】
【請求項１】
携帯端末機器と該携帯端末機器に挿入可能なモジュールとを備えた移動電話サービス用の通信システムであって、
前記通信システムが対象とする全体領域内に少なくとも１つの加入者領域が設定され、該少なくとも１つの加入者領域内では特定の条件下で前記携帯端末機器に対して及び携帯端末機器間で加入者領域通信が行われるようになっており、
前記通信システムは、前記携帯端末機器が前記加入者領域内に位置するかどうかを判定する判定手段を備え、
前記判定手段は、前記モジュール内又は遠隔問い合わせによってアクセス可能な判定ユニット内に配置されていることを特徴とする通信システム。
【請求項２】
前記モジュールが加入者識別モジュール（ＳＩＭ）である、請求項１に記載の通信システム。
【請求項３】
前記通信システムが対象とする前記全体領域内に、１つ又は複数の無線セルが位置する位置登録エリアが配置されている、請求項１又は２に記載の通信システム。
【請求項４】
前記位置登録エリア及び／又は前記無線セルがそれらを特徴付ける識別データを有している、請求項３に記載の通信システム。
【請求項５】
前記識別データが識別子と座標を含んでいる、請求項４に記載の通信システム。
【請求項６】
前記位置登録エリア及び／又は前記無線セルの前記識別データを前記携帯端末機器に送信する手段をさらに備えている、請求項４又は５に記載の通信システム。
【請求項７】
前記識別データを前記モジュールに送るインターフェースが前記携帯端末機器内に設けられている、請求項１乃至６の何れか１つに記載の通信システム。
【請求項８】
前記携帯端末機器が位置する位置登録エリア又は無線セルの識別データと前記加入者領域を特徴付けるデータとを比較する手段が、前記モジュール及び／又は前記通信システムの前記判定ユニット内に設けられている、請求項１乃至７の何れか１つに記載の通信システム。
【請求項９】
前記加入者領域を特徴付けるデータは、前記加入者領域に位置する位置登録エリア及び／又は無線セルの識別子と座標を含んでいる、請求項８に記載の通信システム。
【請求項１０】
前記加入者領域を特徴付けるデータが前記モジュール及び／又は前記判定ユニット内に記憶されている、請求項８又は９に記載の通信システム。
【請求項１１】
前記携帯端末機器が前記加入者領域内に位置するかどうかを判定する手段は、前記通信システムの位置登録エリア又は無線セルの座標が、ある地点と該地点を中心として囲む円の半径とによって規定される領域内に位置しているかどうかを判定するように構成されている、請求項１乃至１０の何れか１つに記載の通信システム。
【請求項１２】
前記地点と前記半径の座標が前記モジュール又は前記判定ユニットに記憶されている、請求項１１に記載の通信システム。
【請求項１３】
前記位置登録エリア及び／又は前記無線セルの識別子は、前記位置登録エリア及び／又は前記無線セルの座標と一意の関係にあるように指定されており、前記座標が前記識別子から決定されるようになっている、請求項１１又は１２に記載の通信システム。
【請求項１４】
前記座標を前記識別子に基づいて決定する手段が前記モジュール又は前記判定ユニットに設けられている、請求項１３に記載の通信システム。
【請求項１５】
前記モジュール及び／又は前記判定ユニットは、位置登録エリア及び／又は無線セルの識別子が前記加入者領域の位置登録エリア及び／又は無線セルの所定の識別子と一致するかどうかを判定する手段を有している、請求項１乃至１４の何れかに記載の通信システム。
【請求項１６】
前記所定の識別子は前記モジュール又は前記判定ユニットに記憶されている、請求項１５に記載の通信システム。
【請求項１７】
前記モジュール又は前記判定ユニットに記憶された前記識別子の少なくとも一部は必要メモリを減らした形態で記憶されている、請求項１６に記載の通信システム。
【請求項１８】
前記判定ユニットは送受信ユニットを有し、送信ユニットは加入者領域との関連について問い合わせを受けるとともに、前記携帯端末機器が加入者領域に位置するかどうかの検査結果を送信するように機能する、請求項１乃至１７の何れか１つに記載の通信システム。
【請求項１９】
前記携帯端末機器と前記モジュールとの間にインターフェースが設けられており、前記インターフェースを介して、前記携帯端末機器が加入者領域内に位置するかどうかの情報が前記モジュールから前記携帯端末機器へ制御信号の形態で送信される、請求項１乃至１８の何れか１つに記載の通信システム。
【請求項２０】
携帯端末機器と前記携帯端末機器に挿入可能なモジュールとを備えた移動電話サービス用の通信システムにおいて、前記通信システムが対象とする全体領域内に少なくとも１つの加入者領域が設定されており、前記加入者領域内では特定条件下で携帯端末機器に対して及び携帯端末機器間で通信が行われ、前記携帯端末機器が前記加入者領域内に位置するかどうかが判定される通信システムを操作する通信方法であって、
前記判定は、前記モジュール又は遠隔問い合わせによってアクセスされる判定ユニットによって行われることを特徴とする通信方法。
【請求項２１】
前記通信方法は、請求項１乃至１９の何れか１つに記載の通信システムの手段によって実行される、請求項２０に記載の通信方法。
【請求項２２】
位置登録エリア及び／又は無線セルの座標が、ある地点と該地点を中心として囲む円の半径とによって規定される領域内にあるかどうかの検査が、前記モジュール及び／又は前記判定ユニットによって行われる請求項２０又は２１に記載の通信方法。
【請求項２３】
位置登録エリア又は無線セルの識別子が位置登録エリア又は無線セルの所定の識別子と一致するかどうかの検査が、前記モジュール及び／又は前記判定ユニットによって行われる請求項１乃至２２の何れか１つに記載の通信方法。
【請求項２４】
請求項２３に記載の検査は請求項２２に記載の検査よりも先に行われる、請求項２２又は２３に記載の通信方法。
【請求項２５】
請求項２２に記載の前記領域の位置及び半径及び／又は請求項２３に記載の所定の識別子とが前記モジュール及び／又は前記判定ユニットに記憶される、請求項２０乃至２４の何れか１つに記載の通信方法。
【請求項２６】
前記所定の識別子の少なくとも一部は、前記モジュール及び／又は前記判定ユニット内の必要メモリを減らすようにして記憶される、請求項２５に記載の通信方法。
【請求項２７】
前記位置登録エリア及び／又は前記無線セルの座標は前記位置登録エリア及び／又は前記無線セルの識別子を参照して決定され、前記座標は請求項２２の通信方法に基づいて使用される、請求項２０乃至２６の何れか１つに記載の通信方法。
【請求項２８】
前記位置登録エリア及び／又は前記無線セルの識別子及び／又は座標は、送受信局によって携帯端末機器へ送信され、さらに携帯端末機器から前記モジュールへと送られる、請求項２０乃至２７の何れか１つに記載の通信方法。
【請求項２９】
前記携帯端末機器から前記モジュールへと送られるデータは前記モジュールから前記判定ユニットへと送信され、前記判定ユニットが前記携帯端末機器が加入者領域内に位置するかどうか検査した後に、その検査結果を前記携帯端末機器に送信し、さらに前記携帯端末機器から前記モジュールへと送る、請求項２８に記載の通信方法。
【発明の詳細な説明】
【技術分野】
【０００１】
本発明は、携帯端末機器と携帯端末機器に挿入可能なモジュールを備えた移動電話サービス用の通信システムであって、該通信システムが対象とする全体領域内に少なくとも１つの加入者領域が設定されており、加入者領域内では特定の条件下で携帯端末機器に対して又は携帯端末機器間で加入者領域通信が行われるようになっており、通信システムに設けられた手段を用いて携帯端末機器が加入者領域に位置するかどうかを判定することができる通信システムに関する。
【０００２】
本発明はさらに、携帯端末機器と、携帯端末機器内で使用可能なモジュールを備えた移動電話サービス用の通信システムにおいて、該通信システムが対象とする全体領域内に少なくとも１つの加入者領域が設定されており、加入者領域内では特定の条件下で携帯端末機器に対して及び携帯端末機器間で加入者領域通信が行われ、携帯端末機器が加入者領域に位置するかどうかが判定される、通信システムを操作する通信方法に関する。
【背景技術】
【０００３】
この種の通信システム及び通信方法は欧州特許第１１５９８４２号明細書に開示されている。この公知の通信システムは、複数の位置登録エリアに分けられた全体領域を対象とし、全体領域内では各携帯端末機器に対して送受信が可能である。
【０００４】
全体領域は、通信システムの送受信局がサービスを提供する無線セルをそれぞれ有する位置登録エリアに分けられる。全体領域内で動作可能な携帯端末機器は、携帯端末機器に挿入可能なＳＩＭモジュールを備えており、ＳＩＭモジュールはこれが具備された携帯端末機器を通信システム内で一意に識別することができる。ＳＩＭモジュールにはさらに座標値Ｘｈ、Ｙｈの位置点とその位置点を中心とする円を規定する半径Ｒｈとからなる座標を記憶している。
【０００５】
通信システムの送受信局は、定期的な間隔で、対応する無線セルの識別子と、送受信局の領域内に位置する携帯端末機器で受信可能な無線セルを特徴付ける座標とを送信する。対応するアプリケーションを備えた携帯端末機器は、受信した無線セルの座標がＳＩＭモジュールのメモリ内に記憶された座標値Ｘｈ、Ｙｈ、Ｒｈの円内に入るかどうかを調べる。そうであれば、すなわち、無線セルの座標が円の中にある場合、ユーザの携帯端末機器が前記円の中にある送受信局の領域内に位置することが、携帯端末機器の画面でユーザに示される。
【０００６】
この種の加入者領域を判定する背景は、ユーザの携帯端末機器が加入者領域内にある場合にユーザに特定の条件、特に割引価格を提供できるということである。
【０００７】
携帯端末機器が加入者領域内にあるかどうかの検査は、対応するソフトウェアアプリケーションを備えた携帯端末機器側で行われる。ソフトウェアはＳＩＭモジュールに記憶されたデータＸｈ、Ｙｈ、Ｒｈにアクセスし、ネットワーク側で受信されたデータを参照して、携帯端末機器が加入者領域内にあるかどうかを調べる。そうであれば、そのことが携帯端末機器の画面でユーザに示される。
【発明の開示】
【発明が解決しようとする課題】
【０００８】
前記公知の通信システムには、加入者領域との関連についての前記検査が、携帯端末機器内にあるソフトウェアアプリケーションによって行われるという不具合がある。したがって、特別に装備された携帯端末機器が必要とされる。
【０００９】
この種のアプリケーションを有さない携帯端末機器でも位置登録エリアと無線セルの識別子と座標とを確かに受信することができるが、携帯端末機器の位置と加入者領域との間に関連が存在するかどうかを判定することができない。
【００１０】
従って、この種の通信システムの事業者にとっては、顧客が前記のサービスを要求している場合に前記のアプリケーションのない顧客用携帯端末機器を提供することができないという不具合がある。さらに、前記必要なアプリケーションを有する携帯端末機器の方が費用が高いという不具合がある。
【課題を解決するための手段】
【００１１】
従って、本発明の目的は、携帯端末機器の位置と加入者領域との関連の検査を行うことが可能で、それに相当する機能を有さない携帯端末機器を使用することができる通信システム及び通信システムの操作方法を提供することである。
【００１２】
この目的は、請求項１の特徴を有する通信システムと請求項２０の特徴を有する方法とによって解決される。
【００１３】
本発明によると、携帯端末機器が加入者領域内に位置するかどうかを判定する手段はモジュール上、又は遠隔問い合わせによってアクセス可能な判定ユニット内に配置されている。本発明の好適実施形態では、モジュールはＳＩＭモジュールである。
【００１４】
携帯端末機器が加入者領域内に位置するかどうかの検査は携帯端末機器自体では行われず、モジュール上、又は、好ましくは通信システムを介して遠隔問い合わせによってアドレス指定可能な構成部品である、携帯端末機器内に配置されていない判定ユニット内で行われるので、携帯端末機器が加入者領域内に位置するか否かの検査を行うために特別な機能を有する必要のない携帯端末機器を使用することができる。
【００１５】
これによって、特別なアプリケーションがないので、携帯端末機器が価格面でより有利になるという利点がある。この利点によって、携帯端末機器を特別に設計することがもはや重要ではないので、通信システムの事業者は、多様な携帯端末機器を顧客に提供することができる。
【００１６】
判定ユニットは、携帯端末機器が加入者領域内に位置するかどうかの情報が携帯端末機器に送信されるように設計されてもよい。本発明では、その判定が判定ユニットで行われる。判定ユニットは、携帯端末機器が位置する位置登録エリア又は無線セルの識別データをモジュールから受信した後に、それに応じて判定を行うことが好ましい。判定結果は通信ネットワークによって携帯端末機器又はモジュールに送信される。
【００１７】
本発明の好適実施形態では、携帯端末機器が加入者領域内に位置するかどうかをユーザに通知する手段が設けられる。その手段は、例えば、携帯端末機器の音響もしくは光学手段又は他の手段であってもよい。
【００１８】
本発明の有利な実施形態は従属請求項の対象である。
【００１９】
通信システムが対象とする全体領域内には、通常複数の位置登録エリアが配置されており、１つ又は複数の無線セルがその中に位置する。加入者領域は１つ又は複数の位置登録エリアの全てもしくは一部分を含んでいても、一位置登録エリアの一部のみを対象としてもよい。無線セルは位置登録エリア内に位置し、概して通信システムの送受信局によって提供される。加入者領域の大きさは大いに異なっていてもよい。一都市の領域を対象とするシティーゾーンとして知られる加入者領域は、例えば、数百の無線セルが位置する１５の位置登録エリアを含んでいる。
【００２０】
位置登録エリア及び／又は無線セルはそれらを特徴付ける識別データを有してもよい。位置登録エリアと無線セルは、位置登録エリアの識別子としてＬＡＣ（位置登録エリアコード）によって、無線セルの識別子としてＣＩ（セルＩＤ）によってそれぞれ指定される識別子を有する。
【００２１】
従って、無線セルがどの位置登録エリアに位置し、無線セルがその位置登録エリア内でどの識別子を有するかが示されると、その無線セルを一意に識別することができる。それゆえ、識別子ＬＡＣ／ＣＩは無線セルを一意に規定する指定を表す。
【００２２】
前記識別子を用いる以外に、例えば座標系の横軸の値Ｘと縦軸の値Ｙとを含む座標によって位置登録エリア又は無線セルを識別することができる。
【００２３】
位置登録エリア及び／又は無線セルの識別子データを携帯端末機器に送信する手段が通信システム内に設けられてもよい。通信システムの送受信局は識別子ＬＡＣ／ＣＩと無線セルの座標Ｘ、Ｙとを携帯端末機器に送信することが好ましい。位置登録エリアが座標によって一意に識別されるなら、位置登録エリアの座標を送信することも一般的に考えられるであろう。
【００２４】
本発明の好適実施形態では、識別データをモジュールに送るインターフェースが携帯端末機器に設けられている。携帯端末機器が、携帯端末機器の領域が位置する位置登録エリア又は無線セルの識別データを受信するとすぐに、これらのデータがモジュールに送られる。
【００２５】
携帯端末機器が位置する位置登録エリア又は無線セルの識別データと加入者領域を特徴付けるデータとを比較する手段がモジュール内及び／又は通信システムの判定ユニット内に設けられてもよい。この検査は、モジュール自体で及び／又は、好ましくは通信システムを介して到達可能なネットワーク構成部品であり、本発明の好適な実施形態におけるモジュールのプロンプトに際して対応する問い合わせでアドレス指定される判定ユニットで行われてもよい。
【００２６】
加入者領域を特徴付けるデータは加入者領域内に位置する位置登録エリア及び／又は無線セルの識別子又は座標を含んでもよい。
【００２７】
加入者領域を特徴付けるデータはモジュール及び／又は判定ユニットに記憶されていることが好ましい。
【００２８】
携帯端末機器が加入者領域内に位置するかどうかを判定する手段は、通信システムの無線セル又は位置登録エリアの座標が、ある位置とその位置を中心として囲む円の半径によって規定される領域内にあるかどうかを判定することができるように設計されてもよい。モジュール又は判定ユニットに記憶することが可能な前記円内に無線セルの座標がある場合、このことがユーザに表示される。この場合、加入者領域は円内に座標が存在する無線セルの合計によって形成される。
【００２９】
この処理において、必要があれば、すなわち円周上にある無線セルの座標もさらに円の領域に属すると判断される場合、円周自体も含ませてもよい。当然ながら円周自体を排除することも同様に可能である。
【００３０】
無線セルの座標が無線セルの送受信ユニットの座標によって形成されてもよい。
【００３１】
前記の手順によると、位置登録エリアの座標又は無線セルの座標を送信する必要がある。しかし、座標がネットワーク側に送信されなかったり携帯端末機器で受信されない場合でも、携帯端末機器が加入者領域内に位置するか否かを判定することができるようにすべきである。このため、例えば、位置登録エリアの識別子又は無線セルの識別子を位置登録エリアの座標又は無線セルの座標と一意の関係になるように指定してもよい。これにより、座標を識別子から決定することができる。
【００３２】
モジュール及び／又は判定ユニットは受信した無線セルの識別子から無線セルの座標を算出し、それらを上述した加入者領域との関連についての判定を行うための基礎として用いる。このため、座標の算出を可能にする位置登録エリア又は無線セルを符号化するように必要がある。
【００３３】
本発明の別の実施形態では、モジュール及び／又は判定ユニットに、携帯端末機器が位置する位置登録エリア及び／又は無線セルの識別子が加入者領域の位置登録エリア及び／又は無線セルの所定の識別子と一致するかどうかを判定する手段が設けられる。この点について、好適実施形態では、所定の識別子がモジュール又は判定ユニットに記憶されている。本発明のこの実施形態では必ずしも無線セルの座標の送信を必要としない。
【００３４】
携帯端末機器が加入者領域内に位置するかどうかは、無線セルの座標の知識がなくても、位置登録エリア及び／又は無線セルの識別子を加入者領域内にある位置登録エリア及び／又は無線セルの所定の識別子と比較することによって判定することができる。
【００３５】
必要とされるメモリ空間を低減するために、本発明のさらに別の実施形態では、モジュール又は判定ユニットに記憶された識別子の少なくとも一部が必要メモリを減らした形態で記憶されている。これは、加入者領域が大都市のサイズを有し、それゆえそこに配置される数百個の無線セルの識別子を記憶させなければならない場合に、特に有意義で必要である。特に、モジュールに記憶させる場合に目的にすべきである必要メモリの低減のために、データ圧縮を実行して、圧縮されたデータをモジュールに記憶させてもよい。
【００３６】
モジュールに記憶されていない場合においても一致の手順は可能である。特に、必要メモリが少なく、記憶されていないデータに関して推論できる方法でデータが記憶されてもよい。例えば、ある範囲の識別子の全識別子の代わりに、範囲の境界のみが記憶されてもよく、それによってメモリ空間がかなり低減される。その範囲の境界から、記憶されずに範囲の境界の間か又は外側に位置する識別子が加入者領域に属するか又はその外側にあるかという情報を得ることができる。
【００３７】
本発明のさらに別の実施形態では、携帯端末機器が加入者領域内に位置するかどうかの情報を携帯端末機器に送信する判定ユニットが設けられている。携帯端末機器はその後、好ましくは表示装置に示すことによって、ユーザの携帯端末機器が加入者領域内に位置することをユーザに示すことができる。
【００３８】
複数の加入者領域が設けられている場合、モジュールから携帯端末機器に送信される情報が、複数の加入者領域のうちどこにユーザが位置しているかという情報を含んでもよい。携帯端末機器とモジュールとの間に情報を送信するためのインターフェースが設けられる。これは携帯端末機器から位置登録エリア及び／又は無線セルの識別子及び／又は座標を受信するインターフェースに対応していてもよい。
【００３９】
本発明はさらに、携帯端末機器と携帯端末機器内で使用可能なモジュールを備えた移動電話サービス用の通信システムにおいて、該通信システムが対象とする全体領域内に少なくとも１つの加入者領域が設定されており、加入者領域内では特定の条件下で携帯端末機器に対して及び携帯端末機器間で加入者領域通信が行われ、携帯端末機器が加入者領域に位置するかどうかが判定される通信システムを操作する方法に関する。
【００４０】
本発明によると、携帯端末機器が加入者領域に位置するかどうかの判定はモジュール又は、好ましくはモジュールによるプロンプトの際に遠隔問い合わせによってアクセス可能な判定ユニットで行われる。
【００４１】
本発明に係る方法の有利な実施形態は従属請求項の主題である。
【００４２】
本発明のさらなる詳細及び利点は、図面に示す実施形態に基づいてより詳細に説明される。
【発明を実施するための最良の形態】
【００４３】
図１は、携帯端末機器及びその中に位置するＳＩＭモジュール（ＳＩＭ）の概略図である。ＳＩＭモジュールは携帯電話回線をアクティベートする際にユーザに渡され、その後携帯端末機器に挿入される。
【００４４】
携帯端末機器は、送受信ユニット（ＢＳＳ）を介してそれ自身が位置する無線セルの識別子（ＬＡＣ／ＣＩ）と座標（Ｘ，Ｙ）とを受信する。無線セルの座標は無線セルの地理的な位置に関して固有であり、無線セルを提供する送受信ユニットの位置に対応していてもよいし、必ずしもそうでなくてもよい。無線セルの座標は無線セルが対象とする領域に依存し、無線セルごとに固有である。
【００４５】
識別子は位置登録エリアの識別子（ＬＡＣ＝位置登録エリアコード）と無線セルの識別子（ＣＩ＝セルＩＤ）からなる。ゆえにＬＡＣ／ＣＩ識別子も、同様に、通信システムが対象とする全体領域内で位置登録エリアとその中に位置する無線セルとを一意に特徴付ける。
【００４６】
携帯端末機器は送受信ユニットから送信されたデータを受信し、それらをＳＩＭモジュールに送る。この受け渡しは携帯端末機器とＳＩＭモジュールとの間で標準インターフェース（ＳＴＫＲｅｌ．９９）を介して行われる。
【００４７】
ＳＩＭモジュールには、円の中心（Ｘｈ，Ｙｈ）と円の半径（Ｒｈ）とからなる円形領域の座標が記憶されている。加入者領域の数によっては、複数の組の座標が記憶されてもよい。例えば、第１の加入者領域（ホームゾーン）を特徴付ける座標と、より大きい第２の加入者領域（シティーゾーン）を特徴付ける座標が記憶されてもよい。
【００４８】
さらに、ＳＩＭモジュールには、第１加入者領域（ホームゾーン）内でありかつ第２加入者領域（シティーゾーン）内に位置する位置登録エリアと無線セルの識別子も記憶されている。対応するメモリを図１にＨＺキャッシュ及びＣＺキャッシュで示す。
【００４９】
識別子を受信した後、ＳＩＭモジュールの対応するソフトウェアアプリケーションが、受信した位置登録エリア及び／又は無線セルの識別子が記憶された識別子と一致するかどうかを検査する。そうであれば、制御信号がＳＩＭモジュールから携帯端末機器に送信され、携帯端末機器は携帯端末機器が加入者領域内に位置することを表示する。加入者領域内に完全に収まる位置登録エリアの場合には、位置登録エリアの識別子ＬＡＣのみが記憶されていてもよい。
【００５０】
というのは、これらの場合、受信した識別子ＬＡＣが記憶された識別子ＬＡＣと一致するかどうかの検査さえ行われればよいからである。その場合、携帯端末機器は確かに加入者領域内に位置する。より小さい加入者領域の場合、概して、無線セルを一意に特徴付ける識別子ＬＡＣ／ＣＩを用い、それを記憶された値と比較することが必要になる。
【００５１】
メモリＨＺキャッシュとＣＺキャッシュには、対応する座標と携帯無線電話との回線をアクティベートする場合のみならず、以下の座標の判定の結果としての動作中にも書き込むことができる。
【００５２】
前記検査に続いて、ＳＩＭモジュールは、位置登録エリア又は無線セルの受信座標Ｘ、Ｙが、ＳＩＭモジュールに記憶された座標Ｘｈ、Ｙｈ、Ｒｈの円形領域内に位置しているかどうかを判定する。
【００５３】
このために、円の中心Ｘｈ、Ｙｈからの無線セルの座標Ｘ、Ｙの距離がピタゴラスの定理を用いて算出され、その後、それが前記の円の半径Ｒｈよりも大きいか、等しいか又は小さいかが判定される。このため、Ｘ−Ｘｈの値とＹ−Ｙｈの値の二乗が加算され、その加算の結果（Ｄ2）が半径Ｒｈの二乗と比較される。Ｄ2がＲｈ2よりも大きい場合、位置登録エリア又は無線セルの座標は加入者領域の外側にある。
【００５４】
そうでない場合、すなわち、携帯端末機器が対応する加入者領域内に位置する場合、この結果がＳＩＭモジュールから携帯端末機器へと送信され、その後、対応する信号又は表示が表示装置上に作成される（ＨＺ／ＣＺ表示）。
【００５５】
ＤとＲｈではなくＤ2とＲｈ2の値で比較するのが好ましい理由は、平方根を前記加算結果Ｄ2から取り去る必要がなく、それによって算出作業が省かれるからである。ゆえにこの実施形態では、Ｒｈ2値がＳＩＭモジュールに記憶されている。
【００５６】
なお、Ｒｈ値をＳＩＭモジュールに記憶することももちろん可能である。
【００５７】
この算出において、位置登録エリア又は無線セルの座標は前記円形領域の外側に位置しているが、その識別子は加入者領域に属するものとしてＳＩＭモジュールに記憶されている場合、表示装置上に先に作成された表示が再び除去される。さらに、その識別子がＳＩＭモジュールのメモリから除去されてもよい。
【００５８】
前記算出において、位置登録エリア又は無線セルの座標は前記円形領域上又はその内側に位置しているが、その識別子は加入者領域に属するものとしてはＳＩＭモジュールに記憶されていない場合、算出が行われた後に、携帯端末機器の表示装置上に対応する表示を作成するとともに位置登録エリア又は無線セルの識別子をＳＩＭモジュールに記憶させることができる。
【００５９】
上述の方法は、ただ一つの加入者領域のみではなく複数の加入者領域に関して行われる。前記の算出の結果、ユーザの端末機器が加入者領域内に位置することだけでなく、どの加入者領域に位置するかをユーザに示すことができる。
【００６０】
図２に従ってＳＩＭモジュールに座標Ｘｈ、Ｙｈ、Ｒｈが規定される。携帯無線電話のアクセスをアクティベートする際に、顧客はアドレスと、どの加入者領域（ホームゾーンＨＺ、シティーゾーンＣＺ又はその他のゾーン）をアクティブにすべきか又は複数の加入者領域をアクティブにすべきかの状態とを与える。この情報を基に、位置登録エリア及び／又は無線セルの識別子（ＬＡ／ＣＩリスト）を用いて半径Ｒｈが決定される。
【００６１】
その後、位置Ｘｈ、Ｙｈを中心とする円を規定するデータＸｈ、Ｙｈ、Ｒｈが、ＳＭＳ等の無線信号によって無線インターフェースＯＴＡＰ（オーバーザエアープラットフォーム）を介して携帯端末機器へ送信され、さらに携帯端末機器からデータが記憶されるＳＩＭモジュールへと送られる。
【００６２】
図１から分かるように、前記のサービスを提供するために、携帯端末機器側に特別なアプリケーションを何ら必要としない。唯一必要なのはＳＩＭモジュールと携帯端末機器との間で必要な通信を可能にするインターフェースの存在である。
【００６３】
図１に示す通信システムは、位置登録エリア又は無線セルの座標Ｘ、Ｙが携帯端末機器へ送信され、携帯端末機器からＳＩＭモジュールへと送信されることが必要であり、座標が所定の領域上、内側又は外側に位置しているかどうかの検査をＳＩＭモジュールで行うことが可能になる。
【００６４】
図３に示す本発明の別の実施形態では、必ずしも位置登録エリアと無線セルの座標を携帯端末機器に送信する必要がない。図３から分かるように、送受信局ＢＳＳによって携帯端末機器に送信されるのは、無線セルの座標ではなく、携帯端末機器が位置する位置登録エリアの識別子ＬＡＣと無線セルの識別子ＣＩのみである。その後、識別子はインターフェースによってＳＩＭモジュールに送られる。加入者領域、この例ではホームゾーン（ＨＺ）に位置する無線セルの識別子ＬＡＣ／ＣＩを記憶したメモリ（ＨＺキャッシュ）がＳＩＭモジュール上に位置している。
【００６５】
ＳＩＭモジュール側では、位置登録エリア及び／又は無線セルの識別子（ＬＡＣ／ＣＩ範囲）が記憶されるメモリ内で問い合わせが行われる。受信された識別子が記憶された識別子の中にない場合、加入者領域に属することを表示するための制御信号がＳＩＭモジュールによって携帯端末機器に出力されず、手順が終了する。
【００６６】
しかし、受信された識別子が記憶された識別子の範囲内にある場合、識別子がＨＺキャッシュメモリに記憶されているかどうかの検査が行われる。そうであれば、携帯端末機器の表示装置に携帯端末機器が加入者領域内に位置することを示す表示がなされる。
【００６７】
さもなければ、データベース（ＨＺＩＤＢ）を問い合わせすることによって送信された識別子が当該ユーザの加入者領域（複数可）を規定するデータベースに記憶された識別子に属するかどうかを検査するＭＳＩＳＤＮを表示しつつサーバ（ＨＺＩサーバ）に問い合わせが行われる。その結果はサーバから携帯端末機器へ、そして携帯端末機器からＳＩＭモジュールへと送られる。検査の結果が肯定、つまり携帯端末機器が加入者領域内に位置する場合、ＳＩＭモジュールは、携帯端末機器に制御信号を送り、対応する表示が表示装置上に表示される。
【００６８】
図４を用いて前記の方法をより詳細に説明する。円形領域が中心点Ｘｈ、Ｙｈ及び半径Ｒｈによって明確に規定されている。識別子ＬＡＣ６、７、１０、１１、１４、１５を伴った位置登録エリアが部分的にこの円形領域内にある。これらの識別子は図３でＬＡＣ／ＣＩ範囲と称するＳＩＭモジュールのメモリに記憶される。ＳＩＭモジュールがこの範囲の外側のＬＡＣ識別子（例えばＬＡＣ＝４）を含んでいる場合、図３によるサーバの問い合わせは行われず手順は終了する。
【００６９】
ＳＩＭモジュールがＬＡＣ／ＣＩ範囲に属するＬＡＣ識別子を受信すると、メモリＨＺキャッシュの問い合わせが行われる。識別子がそこに記憶されていれば、携帯端末機器が加入者領域で記憶されているという表示がなされる。
【００７０】
例えば、識別子ＬＡＣ／ＣＩ＝７／２が得られる場合、ＳＩＭモジュールはこの識別子がメモリＨＺキャッシュに記憶されているかどうかを検査する。当てはまらない場合、この実施例のように、ＳＩＭモジュールはデータベースＨＺＩ−ＤＢによって受信識別子が加入者領域に属するリスト（ＨＺ又はＣＺＬＡＣ／ＣＩユーザリスト）内で見つけることができるかどうかの検査を行う問い合わせをＨＺＩサーバに送信する。この実施例の場合は否定の結果が携帯端末機器によってＳＩＭモジュールに送信される。
【００７１】
ＳＩＭモジュールが識別子ＬＡＣ／ＣＩ＝１１／３を受信すると、その識別子がデータＬＡＣ／ＣＩ範囲が存在するメモリ内にあるかどうか検査される。識別子ＬＡＣ＝１１がそこに記憶されていると、メモリＨＺキャッシュの問い合わせが行われる。識別子ＬＡＣ／ＣＩ＝１１／３がそこに記憶されていると、携帯端末機器が加入者領域内に位置していることが表示される。そうでない場合、サーバの問い合わせが開始される。この場合、サーバは肯定の結果を送信し、その結果が携帯端末機器の表示装置に示される。その後、識別子ＬＡＣ／ＣＩ＝１１／３はメモリＨＺキャッシュに書き込まれる。
【００７２】
本発明の好適な実施形態においては、ＳＩＭモジュールに設けられたメモリ（ＨＺキャッシュ）は比較的小さい加入者領域の識別子ＬＡＣ／ＣＩのみ記憶する。というのは、この場合、まだ管理しやすいデータ量が存在するからである。この種の加入者領域は、例えばユーザの居所の周辺の特定領域（ホームゾーン）であってもよい。
【００７３】
図５は、データＬＡＣ／ＣＩ範囲の決定と送信とを示す。加入者領域と接点を有する位置登録エリア及び／又は無線セルの識別子を備えたファイルＬＡＣ／ＣＩ範囲はユーザの居所から又は座標Ｘｈ、Ｙｈと加入者領域の大きさとから決定される。さらに、ファイル（ＨＺ、ＣＺＬＡＣ／ＣＩリスト）が加入者領域ＣＺ、ＨＺ内に位置する位置登録エリア及び／又は無線セルの識別子を用いて加入者領域ＣＺ、ＨＺ毎に決定される。このファイルはデータベースＨＺＩ−ＤＢに記憶され、サーバによる問い合わせに利用可能である。
【００７４】
本発明の好適な実施形態では、動作中にＨＺキャッシュのデータがＳＩＭモジュールに記憶されるのとは異なり、アクティベート時にデータＬＡＣ／ＣＩ範囲がＳＩＭモジュールに書き込まれ、記憶される。識別子ＬＡＣ／ＣＩは位置登録エリア又は無線セルの地理的位置に関して一意に推定できるように設定することができる。
【００７５】
図６は、本発明のさらに別の実施形態を示す。この実施形態の通信システムも、同様に、携帯端末機器が位置する位置登録エリア又は無線セルの座標を送信せずに運用される。送受信ユニットＢＳＳ側では、携帯端末機器が位置する位置登録エリア及び／又は無線セルの識別子ＬＡＣ／ＣＩのみが送信される。識別子が携帯端末機器によってＳＩＭモジュールに渡され、ここでＳＩＭモジュールのメモリ（ＨＺキャッシュ、ＣＺキャッシュ）に記憶された位置登録エリア及び／又は無線セルの識別子のリストと比較される。一致した場合、ＳＩＭモジュールから携帯端末機器への対応する制御信号に基づいて、携帯端末機器が加入者領域内に位置していることが携帯端末機器の表示画面に示される。
【００７６】
図６に示す実施形態では、対応する加入者領域との関連が表示画面で示されるように、それぞれ異なる加入者領域ＣＺ、ＨＺのリストが設けられている。ホームゾーンＨＺに属するすべての位置登録エリア及び／又は無線セルの識別子はメモリＨＺキャッシュに記憶されている。概してより大きいシティーゾーンＣＺに属する全ての位置登録エリア及び／又は無線セルの識別子は、メモリＣＺキャッシュに記憶されている。
【００７７】
受信された識別子が記憶された識別子の要素ではない場合、対応する表示はなされない。
【００７８】
図７は、対応する加入者領域に属する位置登録エリア及び／又は無線セルの識別子の決定と携帯端末機器への送信を示す。それらは、例えば加入者の居所に対応するが他の如何なる所望のアドレスであってもよいアドレスＸｈ、Ｙｈに基づいて、また中心Ｘｈ、Ｙｈ回りの円の半径又は市域境界による加入者領域の大きさに基づいて決定され、その後無線インターフェースＯＴＡＰを介して携帯端末機器へ、さらに携帯端末機器から識別子が記憶されるＳＩＭモジュールへと送信される。
【００７９】
居所の変更又は通信ネットワークの変更時には、記憶ファイルを新たに作成する必要がある場合もある。新たな識別子を有するファイルはＯＴＡＰを介して直接ＳＩＭモジュールに送信されてもよい。あるいは、最初にファイル（ＨＺ、ＣＺキャッシュＮｅｗ）をデータベース（ＨＺＩ−ＤＢ）に記憶させ、後にＳＩＭモジュールがそれを要求するようにしてもよい。ＳＩＭモジュールに記憶されたデータがデータベースに記憶されたデータと一致しない場合、データベースのファイルがＯＴＡＰを介してＳＩＭモジュールに送信される。
【００８０】
大都市のシティーゾーン等、より大きな加入者領域の場合、キャッシュに記憶される識別子の量が問題になる。大都市のシティーゾーンは、例えば６００セルを含む。対照的に、ホームゾーンは通常約２０セルを含み、その識別子をＳＩＭモジュール等に記憶させるのは前記に比べて問題ではない。大量のデータを記憶させる問題を除去するために、必要メモリ量を減らした記憶方式で、記憶すべきデータの少なくとも一部だけデータ量を低減してもよい。可能な圧縮方法として、例えばＺＩＰ又はＲＡＲがある。
【００８１】
一実施形態では、どの位置登録エリアが加入者領域、例えばシティーゾーン内に完全に収まっているかを検査することで必要メモリを減らすことができる。これらの位置登録エリアでは、セル識別子ＣＩの記憶が不必要なので識別子ＬＡＣを記憶するだけで十分である。大部分のセルが加入者領域内に位置している位置登録エリアに対しては、加入者領域の外に位置する無線セルの識別子ＬＡＣ／ＣＩのみが、その数が少ないために、記憶される。受信した識別子と比較して、その識別子が記憶された識別子の中にあることが分かると、携帯端末機器が加入者領域内に位置しないことが明らかになる。大多数のセルが加入者領域の外に位置する位置登録エリアの場合、加入者領域内に位置するセルの識別子ＬＡＣ／ＣＩのみが記憶される。
【００８２】
ベルリン市のシティーゾーンの場合、このようなデータ量の圧縮は因数３０を用いることにより達成可能である。
【００８３】
あるいは、位置登録エリアの境界が加入者領域の境界と正確に一致するよう加入者領域と位置登録エリアを構成してもよい。加入者領域は位置登録エリアを与えることによって完全に明確に規定され、すなわち識別子ＬＡＣのみを保存すればよい。
【００８４】
全ての無線セルの識別子に通し番号があれば、加入者領域内に位置する無線セルの通し番号又はＣＩのみを記憶させてもよい。受け取ったＣＩの通し番号が異なる場合、２つの通し番号の差を参照してセルが関連する加入者領域に属するかどうかが判定される。
【００８５】
加入者領域の無線セルの識別子が特定の範囲内に位置している場合、この範囲の全ての識別子を保存するのではなく、範囲の境界のみ記憶することができる。無線セルの受信識別子がこの範囲内にない場合、携帯端末機器が加入者領域内に位置しないと判定される。重要なことは加入者領域の無線セルのうち存在する全ての識別子が記憶された範囲に網羅されているかどうかなので、記憶された範囲が存在しない識別子を含んでいても、それはこの場合には影響を及ぼさない。
【００８６】
大抵の送受信局は１つの無線セルではなく３つの無線セルを提供する。それらはセクターとしても知られている。通常、固有のＬＡＣ／ＣＩが各セクター、すなわち各無線セルに対応する。多くの場合、１つの送受信ユニットの全セクターが同じ加入者領域に配置されているので、記憶された値からもう２つのセクターが派生していることが確実である場合、１つのセクターすなわち無線セルのＬＡＣ／ＣＩのみを記憶すれば十分である。これは例えば、もう２つのセクターの識別子の最初の値をそれぞれ２ずつ増やす一方、識別子のその他の数字は同じにすることによって実現される。
【００８７】
ゆえに、送受信局の３つのセクターの識別子は、例えば０ｘｘｘｘ、２ｘｘｘｘ、４ｘｘｘｘ又は１ｘｘｘｘ、３ｘｘｘｘ、５ｘｘｘｘのパターンで実現可能である。両方の場合とも、送受信局の１つのセクターのみの識別子を記憶することで十分である。というのは、２つの他の識別子は値２の加算又は減算から生じるからである。
【００８８】
記憶するデータ量の低減は、加入者領域に座標系を設けた場合にも可能である。無線セルの受信識別子ＣＩはそこから座標が算出されるように符号化されていれば、この算出に基づいて、無線セルが加入者領域内に位置しているかどうかを判定することができる。加入者領域内又は加入者領域の範囲内に位置する位置登録エリアの識別子ＬＡＣと加入者領域の大きさのみが記憶されていればよい。
【００８９】
また、加入者領域内に完全にまた部分的に位置している位置登録エリアの識別子ＬＡＣがＳＩＭモジュール又は他のメモリユニットに記憶されてもよい。受信したＬＡＣが記憶された識別子ＬＡＣと一致しない場合、携帯端末機器が加入者領域内に位置していないと判定される。一致する場合、受信した無線セルの識別子ＣＩを参照して、加入者領域のどこに無線セルが位置するかが決定される。
【００９０】
受信した識別子ＣＩは、その識別子から位置登録エリアのどの加入者領域にセルが位置するかが分かるように符号化されている。そこから決定された加入者領域がＳＩＭモジュールに保存された加入者領域ではない場合、携帯端末機器が加入者領域内に位置していないと判定される。
【００９１】
さらに、各位置登録エリアの無線セルがその位置登録エリア内で互いに位置を一意に特徴付ける識別子を有している場合にも、記憶されるデータ量を減らすことができる。例えば、位置登録エリアに座標システムＸ、Ｙを与えてもよい。値Ｘ、Ｙは０から２５５の間の値を取ることができる。座標Ｘ＝１７０、Ｙ＝１０の無線セルは横軸方向に座標原点から１７０離れ、縦軸方向に座標原点から１０離れていることになる。
【００９２】
本発明のこの実施形態では、セルの識別子はＳＩＭモジュールか又は同じ位置登録エリア内で同じ加入者領域内に位置する別のメモリユニット内に記憶されている。加入者領域に属しているかどうかを判定するために、その都度、Ｘ座標とＹ座標の両方が異なる少なくとも２つのセルの識別子が選択される。
【００９３】
これにより、２つの角点と既知のセル座標とによって形成される正方形又は長方形が形成される。その後、識別子が受け取られると、当該セルが長方形内に位置しているかどうか検査される。そうであれば、携帯端末機器が加入者領域内に位置していると判定される。
【００９４】
加入者領域との関連の検査とデータの記憶は、概して、ＳＩＭモジュール及び／又は遠隔問い合わせによってアクセス可能な判定ユニットで行われる。
【００９５】
図８は、ＳＩＭモジュールに記憶された、加入者領域との関連を判定するアプリケーションと無線セルの識別子から座標を決定するアプリケーションとを備えた本発明のさらに別の実施形態にかかる通信システムの構成を示す。
【００９６】
本発明のこの実施形態は送受信アンテナ側で送信される無線セルの座標を必要としない。図８から分かるように、識別子ＬＡＣ／ＣＩが送受信アンテナ側で送信される。識別子ＬＡＣ／ＣＩは携帯端末機器によって受信され、ＳＩＭモジュールに送られる。識別子ＬＡＣ／ＣＩはそこから無線セルの座標Ｘ、Ｙを決定することができるよう符号化されている。そのため、全体領域が一定の大きさの格子状に区分されており、そこでは個別の識別子ＬＡＣ／ＣＩが各格子フィールドと識別子から決定することができる格子フィールドの位置、すなわち座標とに関連付けされている。
【００９７】
このようにしてＳＩＭモジュールによって決定された座標Ｘ、Ｙを、位置Ｘｈ、Ｙｈ及びその位置を中心として囲む円の半径Ｒｈで規定される１つ又は複数の領域と関連があるかどうかについて検査してもよい。
【００９８】
図９は、ＳＩＭモジュールの座標の決定と記憶の処理ルーチンを示す。中心座標Ｘｈ、Ｙｈは、ユーザが与えるアドレスに基づいて決定され、無線インターフェースＯＴＡＰによって半径Ｒｈと共に携帯端末機器へ、さらに携帯端末機器からそれらが記憶されるＳＩＭモジュールへと送られる。
【００９９】
上述の通信システム及び方法はＧＳＭ規格と、ＵＭＴＳ等のその他の所望の通信規格を用いて実行されてもよい。
【図面の簡単な説明】
【０１００】
【図１】ＳＩＭモジュールに記憶された加入者領域との関連を判定するアプリケーションを備えた、本発明の第１の実施形態にかかる通信システムの概略図である。
【図２】ＳＩＭモジュールの座標を決定及び記憶するための処理ルーチンである。
【図３】判定ユニットに記憶された加入者領域との関連を判定するアプリケーションを備えた、本発明の別の実施形態にかかる通信システムの概略図である。
【図４】判定ユニットへのアクセスを説明するための位置登録エリアと無線セルとを示す略図である。
【図５】ＳＩＭモジュールの位置登録エリア及び／又は無線セルの識別子の範囲を決定及び記憶するための処理ルーチンである。
【図６】ＳＩＭモジュールに記憶された２つの加入者領域に関する位置登録エリア及び無線セルの識別子を備えた、本発明のさらに別の実施形態にかかる通信システムの概略図である。
【図７】ＳＩＭモジュールの位置登録エリア及び／又は無線セルの識別子を決定及び記憶するための処理ルーチンである。
【図８】ＳＩＭモジュールに記憶された加入者領域との関連を判定するアプリケーションと、位置登録エリア及び／又は無線セルの識別子から座標を決定するアプリケーションとを備えた、本発明のさらに別の実施形態にかかる通信システムの概略図である。
【図９】ＳＩＭモジュールの座標を決定及び記憶するための処理ルーチンである。
【図１】
2006524448.tif 000003
【図２】
2006524448.tif 000004
【図３】
2006524448.tif 000005
【図４】
2006524448.tif 000006
【図５】
2006524448.tif 000007
【図６】
2006524448.tif 000008
【図７】
2006524448.tif 000009
【図８】
2006524448.tif 000010
【図９】
2006524448.tif 000011
【国際調査報告】
2006524448.tif 000012
2006524448.tif 000013
2006524448.tif 000014
2006524448.tif 000015
2006524448.tif 000016
2006524448.tif 000017